【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
原紙と、バインダーを含む第１の層と、カオリン及びポリビニルアルコールを含む第２の層と、が順次積層されており、
前記第１の層が設けられた前記原紙の第１の層の表面におけるＪＩＳ  Ｐ８１４０に準拠した吸水度試験による接触時間１２０秒間のコッブ吸水度が２．０ｇ／ｍ２以下であって、前記第２の層の表面におけるブリストー法による接触時間０．５秒間の吸水量が２ｍＬ／ｍ２以上８ｍＬ／ｍ２以下であり、
前記カオリンは、白色度が８７を超えるものであって、粒径２μｍ以下のカオリンの組成比率（体積比）が７５％以上であり、
前記ポリビニルアルコールの重合度が１５００以上であることを特徴とする記録媒体。
【請求項２】
前記カオリンの前記第２の層中における含有量が、前記第２の層の全固形分に対して、７５〜９９質量％であることを特徴とする請求項１に記載の記録媒体。
【請求項３】
前記第１の層中の前記バインダーは、熱可塑性樹脂を含むことを特徴とする請求項１又は請求項２に記載の記録媒体。
【請求項４】
前記熱可塑性樹脂が、ポリエステル系ウレタンラテックス及びアクリルシリコーン系ラテックスより選ばれる少なくとも１種であることを特徴とする請求項３に記載の記録媒体。
【請求項５】
前記第１の層は、白色顔料を更に含むことを特徴とする請求項１〜請求項４のいずれか１項に記載の記録媒体。
【請求項６】
前記白色顔料がカオリンであることを特徴とする請求項５に記載の記録媒体。
【請求項７】
原紙上に、熱可塑性樹脂粒子を含む造膜液を付与し、前記熱可塑性樹脂粒子の最低造膜温度以上の温度領域で加熱処理することにより第１の層を形成する第１の形成工程と、
前記第１の層上に、カオリン及びポリビニルアルコールを含む造膜液を付与して第２の層を形成する第２の形成工程と、を有し、
請求項３〜請求項６のいずれか１項に記載の記録媒体を製造する記録媒体の製造方法。
【請求項８】
前記熱可塑性樹脂粒子が、ポリエステル系ウレタンラテックス及びアクリルシリコーン系ラテックスより選ばれる少なくとも１種であることを特徴とする請求項７に記載の記録媒体の製造方法。
【請求項９】
請求項１〜請求項６のいずれか１項に記載の記録媒体にインクを付与し、所定の画像データに応じてインク描画するインク描画工程と、
インク描画された前記記録媒体におけるインク溶媒を乾燥除去する乾燥除去工程と、
を有するインクジェット記録方法。
【請求項１０】
請求項１〜請求項６のいずれか１項に記載の記録媒体に、酸性物質を含む処理液を供給する処理液供給工程と、
処理液が供給された前記記録媒体にインクを付与し、所定の画像データに応じてインク描画するインク描画工程と、
インク描画された前記記録媒体におけるインク溶媒を乾燥除去する乾燥除去工程と、
を有するインクジェット記録方法。
【手続補正２】
【補正対象書類名】明細書
【補正対象項目名】００１２
【補正方法】変更
【補正の内容】
【００１２】
前記課題を解決するための具体的手段は以下の通りである。
＜１＞  原紙と、バインダーを含む第１の層と、カオリン及びポリビニルアルコールを含む第２の層と、が順次積層されており、
前記第１の層が設けられた前記原紙の第１の層の表面におけるＪＩＳ  Ｐ８１４０に準拠した吸水度試験による接触時間１２０秒間のコッブ吸水度が２．０ｇ／ｍ２以下であって、前記第２の層の表面におけるブリストー法による接触時間０．５秒間の吸水量が２ｍＬ／ｍ２以上８ｍＬ／ｍ２以下であり、
前記カオリンは、白色度が８７を超えるものであって、粒径２μｍ以下のカオリンの組成比率（体積比）が７５％以上であり、
前記ポリビニルアルコールの重合度が１５００以上である記録媒体。
＜２＞  前記カオリンの前記第２の層中における含有量が、前記第２の層の全固形分に対して、７５〜９９質量％であることを特徴とする＜１＞に記載の記録媒体。
＜３＞  前記第１の層中の前記バインダーは、熱可塑性樹脂を含むことを特徴とする＜１＞又は＜２＞に記載の記録媒体。
＜４＞  前記熱可塑性樹脂が、ポリエステル系ウレタンラテックス及びアクリルシリコーン系ラテックスより選ばれる少なくとも１種であることを特徴とする＜３＞に記載の記録媒体。
＜５＞  前記第１の層は、白色顔料を更に含むことを特徴とする＜１＞〜＜４＞のいずれかに記載の記録媒体。
＜６＞  前記白色顔料がカオリンであることを特徴とする＜５＞に記載の記録媒体。
【手続補正３】
【補正対象書類名】明細書
【補正対象項目名】００２８
【補正方法】変更
【補正の内容】
【００２８】
−バインダー−
第１の層は、バインダーの少なくとも１種を含有する。バインダーは、分散のみならず、塗膜強度を向上させる目的で用いられる。
バインダーとしては、例えば、ポリビニルアルコール（アセトアセチル変性、カルボキシ変性、イタコン酸変性、マレイン酸変性、シリカ変性及びアミノ基変性等の変性ポリビニルアルコールを含む）、メチルセルロース、カルボキシメチルセルロース、デンプン類（変性デンプンを含む）、ゼラチン、アラビヤゴム、カゼイン、スチレン−無水マレイン酸共重合体加水分解物、ポリアクリルアミド、酢酸ビニル−アクリル酸共重合体のケン化物等が挙げられる。また、スチレン・ブタジエン共重合物、酢酸ビニル共重合物、アクリロニトリル・ブタジエン共重合物、アクリル酸メチル・ブタジエン共重合物、ポリ塩化ビニリデン等の合成高分子のラテックス系のバインダーが挙げられる。
【手続補正４】
【補正対象書類名】明細書
【補正対象項目名】００７３
【補正方法】変更
【補正の内容】
【００７３】
第２の層の表面を酸性にするための化合物としては、リン酸基、ホスホン酸基、ホスフィン酸基、硫酸基、スルホン酸基、スルフィン酸基又はカルボン酸基あるいはその塩由来の基を有する化合物を用いることができ、リン酸基、カルボン酸基を有する化合物を用いることが好ましい。
例えば、リン酸基を有する化合物としては、リン酸、ポリリン酸、若しくはこれらの化合物の誘導体、又はこれらの塩があり、カルボン酸基を有する化合物としては、フラン、ピロール、ピロリン、ピロリドン、ピロン、ピロール、チオフェン、インドール、ピリジン、キノリン構造を有し、更に官能基としてカルボキシル基を有する化合物等、例えば、ピロリドンカルボン酸、ピロンカルボン酸、ピロールカルボン酸、フランカルボン酸、ピリジンカルボン酸、クマリン酸、チオフェンカルボン酸、ニコチン酸、若しくはこれらの化合物の誘導体、又はこれらの塩等がある。
これらの化合物を第２の層形成用の造膜液に添加することにより、ｐＨを４以下に調整することができる。添加量は、ｐＨが４以下になるように適宜選択すればよい。
【手続補正５】
【補正対象書類名】明細書
【補正対象項目名】００８５
【補正方法】変更
【補正の内容】
【００８５】
第１の層形成用造膜液の付与は、造膜可能な方法であれば特に制限はなく、例えば、塗布法、インクジェット法、浸漬法など任意の公知の方法により行なえるが、造膜後の膜面が平滑である点で、第１の層形成用造膜液を塗布液として用いた塗布法によるのが好ましい。
塗布法には、公知の塗布方法が適用可能であり、公知の塗布方法として、例えば、ブレード塗布方式、スライドビード方式、カーテン方式、エクストルージョン方式、エアナイフ方式、ロールコーティング方式、ロッドバーコーティング方式等が挙げられる。
【手続補正６】
【補正対象書類名】明細書
【補正対象項目名】０１３３
【補正方法】変更
【補正の内容】
【０１３３】
<水溶性有機溶媒>
水溶性有機溶媒は、乾燥防止や浸透促進等の目的で用いられる。
乾燥防止剤としての水溶性有機溶媒は、インクジェット記録方式におけるノズルのインク噴射口において好適に用いられ、インクジェット用インクが乾燥することによる目詰まりを防止する。